(57)【特許請求の範囲】
【請求項１】
人工歯のゲートから金型のキャビティ内に溶融樹脂を射出注入して複数の層からなる人工歯を成形する人工歯の製作方法において、前記ゲートを人工歯のパーティングラインに沿う箇所における床用樹脂で被われる範囲の基底部の縁部に前記パーティングラインで重なり合う複数のゲートとして設けたことを特徴とする人工歯の製作方法。
【発明の詳細な説明】
【０００１】
【産業上の利用分野】
本発明は人工歯の製作方法に関する。
【０００２】
【従来の技術】
従来より樹脂製の人工歯は、圧縮成形法により製作されている。これは、メチルメタクリレート樹脂のポリマーとモノマーを主材料として着色された図１２に示す餅状板１を製作し、これを金型の間に挿入し、プレスし、さらに加熱等により重合し、この後成形品を金型から外し、図１３に示すように成形品２のパーテイングライン全周に発生したバリ３を除去し、その後仕上げ処理を行うものである。この場合、人工歯が複数の色からなるものでは、まず不透明なボディ色に着色された餅状板をプレスし、重合し、バリ除去処理をし、次いで透視可能な歯冠色に着色された餅状板をプレスし、重合し、バリ除去処理をし、その後、仕上げ処理を施すことにより、歯冠色層の厚みの変化により人工歯の色調を作り出すようにしている。
【０００３】
【発明が解決しようとする課題】
上記従来技術においては、餅状板を金型でプレスした後長時間の加熱重合工程を必要とし、さらに重合工程後、成形品の全周に発生したバリを手作業により除去しなければならない。従って、１歯当たりにかかる手間と時間が多くなり量産に不向きである。しかも、図１３のようにパーティングラインの全周に発生したバリをきれいに除去することは困難なためパーティングがギザギザになりやすい。さらに、このバリは人工歯の主要部分である近心，遠心隣接面や前歯部用人工歯の切縁、臼歯部用人工歯の舌側咬頭に連続して発生するためバリ除去のための削り具合によって、人工歯主要部分が変形して商品価値を失い易いという問題がある。一方、人工歯を射出成形法により成形することも考えられる。これは、エンジニアリングプラスチックのうちで生体親和性に優れたポリカーボネート、ポリサルフォン、ポリエーテルサルフォン、アクリル等の熱可塑性樹脂のペレットを製作し、この溶融樹脂を射出成形機により金型のキャビティ内に供給するものである。この方法は、短時間で複数の人工歯を成形できるため量産に適しているとともに、バリの問題も殆ど無いといえる。しかし、成形品に接続されたゲート部分を切断しなければならず、この切断処理具合によっては、人工歯の主要部分が変形したり、パーテイングラインがきれいでなかったりすることが考えられる。
【０００４】
そこで本発明は、生産性が高く、人工歯主要部分の変形が無く、きれいなパーテイングラインを形成できる人工歯の製作方法を提供することを目的する。
【０００５】
【課題を解決するための手段】
前記課題を解決するために本発明の人工歯の製作方法は、人工歯のゲートから金型のキャビティ内に溶融樹脂を射出注入して複数の層からなる人工歯を成形する人工歯の製作方法において、前記ゲートを人工歯のパーティングラインに沿う箇所における床用樹脂で被われる範囲の基底部の縁部に前記パーティングラインで重なり合う複数のゲートとして設けたものである。
【作用】
本発明によれば、複数の人工歯が短時間に射出成形され、人工歯の主要部分でない基底部にゲートが形成される。
【０００６】
【実施例】
以下、本発明の実施例を添付図面を参照して説明する。図１乃至図３は前歯部用人工歯の射出成形法による製作方法である本発明の第１実施例を示し、図１に示すように金型は可動側型板１１と固定側型板１２を有し、両型板１１，１２により前歯部用人工歯におけるボディ色層形状のキャビティ１３を形成している。このキャビティ１３におけるパーティングラインに沿う基底面１４の唇側面側にゲート１５を形成し、このゲート１５にランナー１６が形成されている。図２は可動側型板１１と歯冠色層形状のキャビティ１７を有する固定側型板１８を有し、前記キャビティ１７には前記ゲート１５に沿うゲート１９が形成され、このゲート１９には前記ランナー１６に沿うランナー２０が形成されている。そして、図１に示す両型板１１，１２によってボディ色の溶融樹脂をランナー１６，ゲート１５を通してキャビティ１３内に射出注入することによりボディ色層２１を成形するとともに、図２に示す両型板１１，１８において歯冠色の溶融樹脂をランナー２０，ゲート１９を通してキャビティ１７内に射出注入することにより前記ボディ色層２１上に歯冠色層２２を成形して前歯部用人工歯２３が成形される。この後、前歯部用人工歯２３におけるパーティングイライン２５に沿う箇所の基底部２６に接続されたゲート２４を切断し、仕上げ処理を施して製品を得る。図４乃至図６は射出成形法による臼歯部用人工歯の製作方法である本発明の第２実施例を示し、図４に示すように金型は可動側型板３１と固定側型板３２を有し、両型板３１，３２により臼歯部用人工歯におけるボディ色層形状のキャビティ３３を形成している。このキャビティ３３におけるパーティングラインに沿う基底面３４の頬側面側にゲート３５を形成し、このゲート３５にランナー３６が形成されている。図５は可動側型板３１と歯冠色層形状のキャビティ３７を有する固定側型板３８を有し、前記キャビティ３７には前記ゲート３５に沿うゲート３９を形成され、このゲート３９には前記ランナー３６に沿うランナー４０が形成されている。そして、図４に示す両型板３１，３２によってボディ色の溶融樹脂をランナー３６，ゲート３５を通してキャビティ３３内に射出注入することによりボディ色層４１を成形するとともに、図５に示す両型板３１，３８において歯冠色の溶融樹脂をランナー４０，ゲート３９を通してキャビティ３７内に射出注入することにより前記ボディ色層４１上に歯冠色層４２を成形して臼歯部用人工歯４３が成形される。この後、臼歯部用人工歯４３におけるパーティングイライン４５に沿う箇所の基底部４６に接続されたゲート４４を切断し、仕上げ処理を施して製品を得る。図７および図８は前歯部人工歯の他の製作方法を示す本発明の第３実施例であり、第１実施例と同一部分に同一符号を付し同一箇所の説明を省略して説明すると、この例では、重なり合うゲート１５，１９をパーティングラインに沿う隣接面側に設けた場合を示している。図９および図１０は臼歯部人工歯の他の製作方法である本発明の第４実施例であり、第２実施例と同一部分に同一符号を付し同一箇所の説明を省略して説明すると、この例では、重なり合うゲート３５，３９をパーティングラインに沿う隣接面側に設けた場合を示している。上記各実施例においては、射出成形法により人工歯を成形するため短時間で手作業で除去しなければならないバリを有しない人工歯を複数得ることができ、量産が可能である。しかも、１層又は２層以上の成形品となる人工歯の場合においては、人工歯の基底部にゲートが接続されているためゲート切断が容易であり、必要に応じてゲート切断跡処理を施すだけでよい。これは、図１１に示すように人工歯の基底部は床用樹脂５１で被われて外部に表われないからからであり、仮にゲート切断跡が少し残ったとしても商品価値を低下させることはない。この場合、人工歯の基底部とは、パーティングラインに沿う箇所において床用樹脂で被われる範囲をいうのであり、図３に示す唇側や図６に示す頬側に限らない。このように人工歯の主要部分から外れた筒所にゲートが形成されるため、ゲート処理によって人工歯主要部分が変形したりする心配がない。また、複数の層を有し、透視可能な歯冠色層の厚み変化によりボディ色と歯冠色の組み合わせ具合に変化をもたせて人工歯の色調を表現した人工歯を射出成形法により短時間で複数得ることができるため量産が可能である。しかも、複数の層のゲートが人工歯のパーティング箇所に重ね合うように設けられているためパーテイングラインは全体的にきれいに形成され、寸法精度も高いものになる。そして、複数の層のゲートが重なり合うように設けられているため両ゲートを一括して切断することも可能であり成形後の処理が容易である。なお、本発明は上記実施例に限定されるものではなく、本発明の要旨の範囲内において種々の変形実施が可能である。例えば人工歯の種類は各種のものに適用可能である。またゲートの切断方法は型内，外において適宜選択すればよい。また第１の発明においては、人工歯の基底部にのみゲートを設けた場合を示したが、人工歯の基底部に断面積の大きな主ゲートを設けるとともに人工歯の主要部分に断面積の小さな副ゲートを設けるようにしてもよく、この場合においても量産効果を有し、しかも人工歯主要部分は小さいゲートであるためゲート切断および後処理による変形などの発生を抑制できる。また、第２の発明においてゲート位置はパーティングライン箇所であればどこでもよい。また、樹脂は、ポリカーボネート、ポリサルフオン、ポリエーテルサルフォン、アクリル等の熱可塑性樹脂に限らず熱硬化性樹脂を用いてもよい。また、ランナーにゲートを介して接続される人工歯の数や配置等は適宜選定すればよい。
【０００７】
【発明の効果】
本発明は生産性が高く、しかも人工歯主要部分の変形が無く、きれいなパーティングラインを形成できる人工歯の製作方法を提供できる。
【図面の簡単な説明】
【図１】本発明の第１実施例を示す断面図である。
【図２】本発明の第１実施例を示す断面図である。
【図３】本発明の第１実施例を示す斜視図である。
【図４】本発明の第２実施例を示す断面図である。
【図５】本発明の第２実施例を示す断面図である。
【図６】本発明の第２実施例を示す斜視図である。
【図７】本発明の第３実施例を示す断面図である。
【図８】本発明の第３実施例を示す斜視図である。
【図９】本発明の第４実施例を示す断面図である。
【図１０】本発明の第４実施例を示す斜視図である。
【図１１】床と人工歯の関係を示す断面図である。
【図１２】従来例を示す斜視図である。
【図１３】従来例を示す平面図である。
【符号の説明】
１１，３１  可動型板
１２，１８，３２，３８  固定型板
１３，１７，３３，３７  キャビティ
１４，３４  基底部
１５，１９，３５，３９  ゲート
【図１】
0003924658.tif 000002
【図２】
0003924658.tif 000003
【図３】
0003924658.tif 000004
【図４】
0003924658.tif 000005
【図５】
0003924658.tif 000006
【図６】
0003924658.tif 000007
【図７】
0003924658.tif 000008
【図８】
0003924658.tif 000009
【図９】
0003924658.tif 000010
【図１０】
0003924658.tif 000011
【図１１】
0003924658.tif 000012
【図１２】
0003924658.tif 000013
【図１３】
0003924658.tif 000014